【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
動画像を表示する表示手段と、前記動画像に対する正方向の動作を行うための第１の操作手段と、前記動画像に対する逆方向の動作を行うための第２の操作手段とを有する動画像再生装置において、
前記第１の操作手段への操作に応じて、前記表示手段に表示されている動画像のフレームを、所定の複数フレーム先のフレームに移動する第１の移動手段と、
前記第２の操作手段への操作に応じて、前記表示手段に表示されている動画像のフレームを、所定の複数フレーム前のフレームに移動する第２の移動手段と、
前記第１または前記第２の操作手段に対する操作が、該操作の１つ前に前記第１または前記第２の操作手段に行われた前回操作と同じ操作手段に対する操作であったか否かを判定する判定手段と、
前記判定手段によって同じ操作手段に対する操作であると判定された場合は、前記前回操作によって移動したフレーム数と同じフレーム数移動し、前記判定手段によって異なる操作手段に対する操作であると判定された場合は、前記前回操作で移動したフレーム数より少ないフレーム数移動するように、前記第１及び前記第２の移動手段を制御する制御手段とを備えることを特徴とする動画像再生装置。
【請求項２】
前記前回操作によって移動したフレーム数を判定するフレーム数判定手段を更に備え、
前記制御手段は、前記フレーム数判定手段により前記移動フレーム数が予め定められたフレーム数以下であると判定されたときは、今回の移動フレーム数を１として移動するように、前記第１及び前記第２の移動手段を制御することを特徴とする請求項１記載の動画像再生装置。
【請求項３】
前記前回操作によって移動したフレーム数を判定するフレーム数判定手段を更に備え、
前記制御手段は、前記フレーム数判定手段により前記移動フレーム数が１であると判定されたときは、今回の移動フレーム数を１として移動するように、前記第１及び前記第２の移動手段を制御することを特徴とする請求項１記載の動画像再生装置。
【請求項４】
前記制御手段は、前記判定手段によって異なる操作手段に対する操作であると判定された場合は、前記前回操作での移動フレーム数より少ない、特定倍したフレーム数移動するように、前記第１及び前記第２の移動手段を制御することを特徴とする請求項１記載の動画像再生装置。
【請求項５】
前記特定倍は１／２であること特徴とする請求項４記載の動画像再生装置。
【請求項６】
前記第１または前記第２の操作手段に対する操作のうち、どちらの操作手段への操作であったかを記憶手段に記憶する記憶制御手段を更に有し、
前記判定手段は、前記第１または前記第２の操作手段に対する操作と、前記記憶手段に記憶された、前記前回操作での操作手段への操作とを比較することによって、前記判定を行うことを特徴とする請求項１乃至５のいずれか１項に記載の動画再生装置。
【請求項７】
動画像を表示する表示手段と、前記動画像に対する正方向の動作を行うための第１の操作手段と、前記動画像に対する逆方向の動作を行うための第２の操作手段とを有する動画像再生装置において、
前記第１の操作手段への操作に応じて、前記表示手段に表示されている動画像を、所定の速度で正方向に再生する第１の再生手段と、
前記第２の操作手段への操作に応じて、前記表示手段に表示されている動画像を、所定の速度で逆方向に再生する第２の再生手段と、
前記第１の操作手段から前記第２の操作手段への操作切り替えと前記第２の操作手段から前記第１の操作手段への操作切り替えが繰り返し行われる度に、前記動画像の再生速度を遅くするように、前記第１及び前記第２の再生手段を制御する制御手段とを備えることを特徴とする動画像再生装置。
【請求項８】
前記制御手段は、前記操作切り替えが繰り返し行われた場合には、前記動画像の再生速度が１倍速よりも遅くなるように、前記第１及び前記第２の再生手段を制御することを特徴とする請求項７記載の動画像再生装置。
【請求項９】
前記制御手段は、前記動画像の再生速度が１／４倍速になった後に前記第１の操作手段または前記第２の操作手段が操作されたときは、１フレームずつ動作させるように、前記第１及び前記第２の再生手段を制御することを特徴とする請求項８記載の動画像再生装置。
【請求項１０】
動画像を表示する表示手段と、前記動画像に対する正方向の動作を行うための第１の操作手段と、前記動画像に対する逆方向の動作を行うための第２の操作手段とを有する動画像再生装置の動画像再生方法において、
前記第１の操作手段への操作に応じて、前記表示手段に表示されている動画像のフレームを、所定の複数フレーム先のフレームに移動する第１の移動工程と、
前記第２の操作手段への操作に応じて、前記表示手段に表示されている動画像のフレームを、所定の複数フレーム前のフレームに移動する第２の移動工程と、
前記第１または前記第２の操作手段に対する操作が、該操作の１つ前に前記第１または前記第２の操作手段に行われた前回操作と同じ操作手段に対する操作であったか否かを判定する判定工程と、
前記判定工程にて同じ操作手段に対する操作であると判定された場合は、前記前回操作によって移動したフレーム数と同じフレーム数移動し、前記判定工程にて異なる操作手段に対する操作であると判定された場合は、前記前回操作で移動したフレーム数より少ないフレーム数移動するように制御する制御工程とを備えることを特徴とする動画像再生方法。
【請求項１１】
動画像を表示する表示手段と、前記動画像に対する正方向の動作を行うための第１の操作手段と、前記動画像に対する逆方向の動作を行うための第２の操作手段とを有する動画像再生装置の動画像再生方法において、
前記第１の操作手段への操作に応じて、前記表示手段に表示されている動画像を、所定の速度で正方向に再生する第１の再生工程と、
前記第２の操作手段への操作に応じて、前記表示手段に表示されている動画像を、所定の速度で逆方向に再生する第２の再生工程と、
前記第１の操作手段から前記第２の操作手段への操作切り替えと前記第２の操作手段から前記第１の操作手段への操作切り替えが繰り返し行われる度に、前記動画像の再生速度を遅くするように制御する制御工程とを備えることを特徴とする動画像再生方法。
【請求項１２】
動画像を表示する表示手段と、前記動画像に対する正方向の動作を行うための第１の操作手段と、前記動画像に対する逆方向の動作を行うための第２の操作手段とを有する動画像再生装置の動画像再生方法をコンピュータに実行させるためのプログラムにおいて、
前記第１の操作手段への操作に応じて、前記表示手段に表示されている動画像のフレームを、所定の複数フレーム先のフレームに移動する第１の移動ステップと、
前記第２の操作手段への操作に応じて、前記表示手段に表示されている動画像のフレームを、所定の複数フレーム前のフレームに移動する第２の移動ステップと、
前記第１または前記第２の操作手段に対する操作が、該操作の１つ前に前記第１または前記第２の操作手段に行われた前回操作と同じ操作手段に対する操作であったか否かを判定する判定ステップと、
前記判定ステップにて同じ操作手段に対する操作であると判定された場合は、前記前回操作によって移動したフレーム数と同じフレーム数移動し、前記判定ステップにて異なる操作手段に対する操作であると判定された場合は、前記前回操作で移動したフレーム数より少ないフレーム数移動するように制御する制御ステップとを備えることを特徴とするプログラム。
【請求項１３】
動画像を表示する表示手段と、前記動画像に対する正方向の動作を行うための第１の操作手段と、前記動画像に対する逆方向の動作を行うための第２の操作手段とを有する動画像再生装置の動画像再生方法をコンピュータに実行させるためのプログラムにおいて、
前記第１の操作手段への操作に応じて、前記表示手段に表示されている動画像を、所定の速度で正方向に再生する第１の再生ステップと、
前記第２の操作手段への操作に応じて、前記表示手段に表示されている動画像を、所定の速度で逆方向に再生する第２の再生ステップと、
前記第１の操作手段から前記第２の操作手段への操作切り替えと前記第２の操作手段から前記第１の操作手段への操作切り替えが繰り返し行われる度に、前記動画像の再生速度を遅くするように制御する制御ステップとを備えることを特徴とするプログラム。
【請求項１４】
請求項１２記載のプログラムを格納するコンピュータに読み取り可能な記憶媒体。
【請求項１５】
請求項１３記載のプログラムを格納するコンピュータに読み取り可能な記憶媒体。
【請求項１６】
画像を表示する表示手段と、特定の順番で並べられた複数の画像を正方向に順次再生させるための第１の操作手段と、前記複数の画像を逆方向に順次再生させるための第２の操作手段とを有する画像再生装置において、
前記第１の操作手段への操作に応じて、前記表示手段に表示されている画像を、前記特定の順番のうち所定枚数先の画像に移動して再生する第１の移動手段と、
前記第２の操作手段への操作に応じて、前記表示手段に表示されている画像を、前記特定の順番のうち所定枚数前の画像に移動して再生する第２の移動手段と、
前記第１または前記第２の操作手段に対する操作が、該操作の１つ前に前記第１または前記第２の操作手段に行われた前回操作と同じ操作手段に対する操作であったか否かを判定する判定手段と、
前記判定手段によって同じ操作手段に対する操作であると判定された場合は、前記前回操作によって移動した枚数と同じ枚数移動し、前記判定手段によって異なる操作手段に対する操作であると判定された場合は、前記前回操作で移動した枚数より少ない枚数移動するように、前記第１及び前記第２の移動手段を制御する制御手段とを備えることを特徴とする画像再生装置。
【請求項１７】
画像を表示する表示手段と、特定の順番で並べられた複数の画像を正方向に順次再生させるための第１の操作手段と、前記複数の画像を逆方向に順次再生させるための第２の操作手段とを有する画像再生装置の画像再生方法において、
前記第１の操作手段への操作に応じて、前記表示手段に表示されている画像を、前記特定の順番のうち所定枚数先の画像に移動して再生する第１の移動工程と、
前記第２の操作手段への操作に応じて、前記表示手段に表示されている画像を、前記特定の順番のうち所定枚数前の画像に移動して再生する第２の移動工程と、
前記第１または前記第２の操作手段に対する操作が、該操作の１つ前に前記第１または前記第２の操作手段に行われた前回操作と同じ操作手段に対する操作であったか否かを判定する判定工程と、
前記判定工程にて同じ操作手段に対する操作であると判定された場合は、前記前回操作によって移動した枚数と同じ枚数移動し、前記判定工程にて異なる操作手段に対する操作であると判定された場合は、前記前回操作で移動した枚数より少ない枚数移動するように制御する制御工程とを備えることを特徴とする画像再生方法。
【請求項１８】
画像を表示する表示手段と、特定の順番で並べられた複数の画像を正方向に順次再生させるための第１の操作手段と、前記複数の画像を逆方向に順次再生させるための第２の操作手段とを有する画像再生装置の画像再生方法をコンピュータに実行させるためのプログラムにおいて、
前記第１の操作手段への操作に応じて、前記表示手段に表示されている画像を、前記特定の順番のうち所定枚数先の画像に移動して再生する第１の移動ステップと、
前記第２の操作手段への操作に応じて、前記表示手段に表示されている画像を、前記特定の順番のうち所定枚数前の画像に移動して再生する第２の移動ステップと、
前記第１または前記第２の操作手段に対する操作が、該操作の１つ前に前記第１または前記第２の操作手段に行われた前回操作と同じ操作手段に対する操作であったか否かを判定する判定ステップと、
前記判定ステップにて同じ操作手段に対する操作であると判定された場合は、前記前回操作によって移動した枚数と同じ枚数移動し、前記判定ステップにて異なる操作手段に対する操作であると判定された場合は、前記前回操作で移動した枚数より少ない枚数移動するように制御する制御ステップとを備えることを特徴とするプログラム。
【手続補正２】
【補正対象書類名】明細書
【補正対象項目名】０００９
【補正方法】変更
【補正の内容】
【０００９】
上記目的を達成するために、請求項７記載の動画像再生装置は、動画像を表示する表示手段と、前記動画像に対する正方向の動作を行うための第１の操作手段と、前記動画像に対する逆方向の動作を行うための第２の操作手段とを有する動画像再生装置において、前記第１の操作手段への操作に応じて、前記表示手段に表示されている動画像を、所定の速度で正方向に再生する第１の再生手段と、前記第２の操作手段への操作に応じて、前記表示手段に表示されている動画像を、所定の速度で逆方向に再生する第２の再生手段と、前記第１の操作手段から前記第２の操作手段への操作切り替えと前記第２の操作手段から前記第１の操作手段への操作切り替えが繰り返し行われる度に、前記動画像の再生速度を遅くするように、前記第１及び前記第２の再生手段を制御する制御手段とを備えることを特徴とする。
【手続補正３】
【補正対象書類名】明細書
【補正対象項目名】００１０
【補正方法】変更
【補正の内容】
【００１０】
上記目的を達成するために、請求項１０記載の動画像再生方法は、動画像を表示する表示手段と、前記動画像に対する正方向の動作を行うための第１の操作手段と、前記動画像に対する逆方向の動作を行うための第２の操作手段とを有する動画像再生装置の動画像再生方法において、前記第１の操作手段への操作に応じて、前記表示手段に表示されている動画像のフレームを、所定の複数フレーム先のフレームに移動する第１の移動工程と、前記第２の操作手段への操作に応じて、前記表示手段に表示されている動画像のフレームを、所定の複数フレーム前のフレームに移動する第２の移動工程と、前記第１または前記第２の操作手段に対する操作が、該操作の１つ前に前記第１または前記第２の操作手段に行われた前回操作と同じ操作手段に対する操作であったか否かを判定する判定工程と、前記判定工程にて同じ操作手段に対する操作であると判定された場合は、前記前回操作によって移動したフレーム数と同じフレーム数移動し、前記判定工程にて異なる操作手段に対する操作であると判定された場合は、前記前回操作で移動したフレーム数より少ないフレーム数移動するように制御する制御工程とを備えることを特徴とする。
【手続補正４】
【補正対象書類名】明細書
【補正対象項目名】００１１
【補正方法】変更
【補正の内容】
【００１１】
上記目的を達成するために、請求項１１記載の動画像再生方法は、動画像を表示する表示手段と、前記動画像に対する正方向の動作を行うための第１の操作手段と、前記動画像に対する逆方向の動作を行うための第２の操作手段とを有する動画像再生装置の動画像再生方法において、前記第１の操作手段への操作に応じて、前記表示手段に表示されている動画像を、所定の速度で正方向に再生する第１の再生工程と、前記第２の操作手段への操作に応じて、前記表示手段に表示されている動画像を、所定の速度で逆方向に再生する第２の再生工程と、前記第１の操作手段から前記第２の操作手段への操作切り替えと前記第２の操作手段から前記第１の操作手段への操作切り替えが繰り返し行われる度に、前記動画像の再生速度を遅くするように制御する制御工程とを備えることを特徴とする。
【手続補正５】
【補正対象書類名】明細書
【補正対象項目名】００１２
【補正方法】変更
【補正の内容】
【００１２】
上記目的を達成するために、請求項１２記載のプログラムは、動画像を表示する表示手段と、前記動画像に対する正方向の動作を行うための第１の操作手段と、前記動画像に対する逆方向の動作を行うための第２の操作手段とを有する動画像再生装置の動画像再生方法をコンピュータに実行させるためのプログラムにおいて、前記第１の操作手段への操作に応じて、前記表示手段に表示されている動画像のフレームを、所定の複数フレーム先のフレームに移動する第１の移動ステップと、前記第２の操作手段への操作に応じて、前記表示手段に表示されている動画像のフレームを、所定の複数フレーム前のフレームに移動する第２の移動ステップと、前記第１または前記第２の操作手段に対する操作が、該操作の１つ前に前記第１または前記第２の操作手段に行われた前回操作と同じ操作手段に対する操作であったか否かを判定する判定ステップと、前記判定ステップにて同じ操作手段に対する操作であると判定された場合は、前記前回操作によって移動したフレーム数と同じフレーム数移動し、前記判定ステップにて異なる操作手段に対する操作であると判定された場合は、前記前回操作で移動したフレーム数より少ないフレーム数移動するように制御する制御ステップとを備えることを特徴とする。
【手続補正６】
【補正対象書類名】明細書
【補正対象項目名】００１３
【補正方法】変更
【補正の内容】
【００１３】
上記目的を達成するために、請求項１３記載のプログラムは、動画像を表示する表示手段と、前記動画像に対する正方向の動作を行うための第１の操作手段と、前記動画像に対する逆方向の動作を行うための第２の操作手段とを有する動画像再生装置の動画像再生方法をコンピュータに実行させるためのプログラムにおいて、前記第１の操作手段への操作に応じて、前記表示手段に表示されている動画像を、所定の速度で正方向に再生する第１の再生ステップと、前記第２の操作手段への操作に応じて、前記表示手段に表示されている動画像を、所定の速度で逆方向に再生する第２の再生ステップと、前記第１の操作手段から前記第２の操作手段への操作切り替えと前記第２の操作手段から前記第１の操作手段への操作切り替えが繰り返し行われる度に、前記動画像の再生速度を遅くするように制御する制御ステップとを備えることを特徴とする。
【手続補正７】
【補正対象書類名】明細書
【補正対象項目名】００１４
【補正方法】変更
【補正の内容】
【００１４】
上記目的を達成するために、請求項１６記載の画像再生装置は、画像を表示する表示手段と、特定の順番で並べられた複数の画像を正方向に順次再生させるための第１の操作手段と、前記複数の画像を逆方向に順次再生させるための第２の操作手段とを有する画像再生装置において、前記第１の操作手段への操作に応じて、前記表示手段に表示されている画像を、前記特定の順番のうち所定枚数先の画像に移動して再生する第１の移動手段と、前記第２の操作手段への操作に応じて、前記表示手段に表示されている画像を、前記特定の順番のうち所定枚数前の画像に移動して再生する第２の移動手段と、前記第１または前記第２の操作手段に対する操作が、該操作の１つ前に前記第１または前記第２の操作手段に行われた前回操作と同じ操作手段に対する操作であったか否かを判定する判定手段と、前記判定手段によって同じ操作手段に対する操作であると判定された場合は、前記前回操作によって移動した枚数と同じ枚数移動し、前記判定手段によって異なる操作手段に対する操作であると判定された場合は、前記前回操作で移動した枚数より少ない枚数移動するように、前記第１及び前記第２の移動手段を制御する制御手段とを備えることを特徴とする。
【手続補正８】
【補正対象書類名】明細書
【補正対象項目名】００１５
【補正方法】変更
【補正の内容】
【００１５】
上記目的を達成するために、請求項１７記載の画像再生方法は、画像を表示する表示手段と、特定の順番で並べられた複数の画像を正方向に順次再生させるための第１の操作手段と、前記複数の画像を逆方向に順次再生させるための第２の操作手段とを有する画像再生装置の画像再生方法において、前記第１の操作手段への操作に応じて、前記表示手段に表示されている画像を、前記特定の順番のうち所定枚数先の画像に移動して再生する第１の移動工程と、前記第２の操作手段への操作に応じて、前記表示手段に表示されている画像を、前記特定の順番のうち所定枚数前の画像に移動して再生する第２の移動工程と、前記第１または前記第２の操作手段に対する操作が、該操作の１つ前に前記第１または前記第２の操作手段に行われた前回操作と同じ操作手段に対する操作であったか否かを判定する判定工程と、前記判定工程にて同じ操作手段に対する操作であると判定された場合は、前記前回操作によって移動した枚数と同じ枚数移動し、前記判定工程にて異なる操作手段に対する操作であると判定された場合は、前記前回操作で移動した枚数より少ない枚数移動するように制御する制御工程とを備えることを特徴とする。
【手続補正９】
【補正対象書類名】明細書
【補正対象項目名】００１６
【補正方法】変更
【補正の内容】
【００１６】
上記目的を達成するために、請求項１８記載のプログラムは、画像を表示する表示手段と、特定の順番で並べられた複数の画像を正方向に順次再生させるための第１の操作手段と、前記複数の画像を逆方向に順次再生させるための第２の操作手段とを有する画像再生装置の画像再生方法をコンピュータに実行させるためのプログラムにおいて、前記第１の操作手段への操作に応じて、前記表示手段に表示されている画像を、前記特定の順番のうち所定枚数先の画像に移動して再生する第１の移動ステップと、前記第２の操作手段への操作に応じて、前記表示手段に表示されている画像を、前記特定の順番のうち所定枚数前の画像に移動して再生する第２の移動ステップと、前記第１または前記第２の操作手段に対する操作が、該操作の１つ前に前記第１または前記第２の操作手段に行われた前回操作と同じ操作手段に対する操作であったか否かを判定する判定ステップと、前記判定ステップにて同じ操作手段に対する操作であると判定された場合は、前記前回操作によって移動した枚数と同じ枚数移動し、前記判定ステップにて異なる操作手段に対する操作であると判定された場合は、前記前回操作で移動した枚数より少ない枚数移動するように制御する制御ステップとを備えることを特徴とする。